(57)【要約】【課題】  ユーザーにとって利便性をより向上させた番組情報表示をする番組表示装置及び番組表示方法を提供する。【解決手段】  放送番組の番組情報を取得する取得手段と、この番組情報を解析してキーワードを抽出する抽出手段と、予め与えられたカテゴリと前記キーワードの相関値を取得する計算手段と、この相関値に基づき番組表を作成する作成手段とを備えたことを特徴とする番組表示装置。  放送番組の番組情報を取得し、この番組情報を解析してキーワードを抽出し、予め与えられたカテゴリと前記キーワードの相関値を取得し、この相関値に基づき番組表を作成することを特徴とする番組表示方法。【選択図】      図５
2008236400.tif 000002
【特許請求の範囲】
【請求項１】
放送番組の番組情報を取得する取得手段と、
この番組情報を解析してキーワードを抽出する抽出手段と、
予め与えられたカテゴリと前記キーワードの相関値を取得する計算手段と、
この相関値に基づき番組表を作成する作成手段とを
備えたことを特徴とする番組表示装置。
【請求項２】
前記番組表を多次元の分布図で表示する表示手段を備えたことを特徴とする請求項１記載の番組表示装置。
【請求項３】
放送番組の番組情報を取得し、
この番組情報を解析してキーワードを抽出し、
予め与えられたカテゴリと前記キーワードの相関値を取得し、
この相関値に基づき番組表を作成する
ことを特徴とする番組表示方法。
【請求項４】
前記番組表を多次元の分布図で表示することを特徴とする請求項３記載の番組表示方法。
【発明の詳細な説明】
【技術分野】
【０００１】
本発明は、番組表示装置及び番組表示方法に係り、特に番組情報表示機能として多次元表示する番組表示装置及び番組表示方法に関する。
【背景技術】
【０００２】
近年、HDD&DVDレコーダやPCでのTV録画機能の普及により、リアルタイムでTV番組コンテンツを見るのではなく、例えば、電子テレビ番組ガイド（以下、EPG）を元に一週間分の録画予約を一度に行うなどのライフスタイルも今後、増加していくと考えられる。そのため、テレビ番組表は必ずしも、時系列に表示する必要がなく、より多様なライフスタイルにあった提示方法があると考えられる。
【０００３】
関連して番組情報のある属性に従い、番組情報を２次元表示するなどの内容の特許出願が行われている。例えば特許文献１に番組情報処理装置なるものに関し記載されている内容は、出演者とジャンル（映画、ドラマ、音楽等）、出演者と関連情報所在メディア（ＣＤ、本、ホームページ）といった属性を２次元の表に区分したものである。しかしながらこのような一般的な属性・表現は、特にユーザーの関心に訴える軸を有するものではなく利便性が十分にあるものではないという問題があった。
【特許文献１】特開平１１−２５５４１号公報（頁２９、図６）
【発明の開示】
【発明が解決しようとする課題】
【０００４】
本発明は、上記問題点を解決するためになされたもので、ユーザーにとって利便性をより向上させた番組情報表示をする番組表示装置及び番組表示方法を提供することを目的とする。
【課題を解決するための手段】
【０００５】
上記課題を解決するために、本発明の番組表示装置は、放送番組の番組情報を取得する取得手段と、この番組情報を解析してキーワードを抽出する抽出手段と、予め与えられたカテゴリと前記キーワードの相関値を取得する計算手段と、この相関値に基づき番組表を作成する作成手段とを具備することを特徴とする。
【発明の効果】
【０００６】
本発明によれば、利便性をより向上させた番組情報表示をする番組表示装置及び番組表示方法が得られる。
【発明を実施するための最良の形態】
【０００７】
以下、本発明の実施例を説明する。
【実施例１】
【０００８】
本発明による実施例１を図１乃至図８を参照して説明する。
図１は、この発明の一実施形態に係る番組表示装置の構成の一例である放送記録装置を示すブロック図である。
（構成）
初めに、図１の放送記録装置１０は、一例として、チューナ等をソースとして記録機能を有するデジタルテレビジョンである。しかしながら、チューナ等と記録機能とをもったハードディスクレコーダも同様に好適である。
【０００９】
従って、以下の図１を用いた実施形態の説明においては、記録機能をもったデジタルテレビジョンとして詳細に説明を行なうが、図１からディスプレイ２６を分離することにより、全く同様の機能をもったハードディスクレコーダとしての説明と解釈することが可能である。
【００１０】
図１において、デジタルテレビジョンである放送記録装置１０は、２種類のディスクドライブを有する。第1のメディアとしてハードディスクＨを駆動するハードディスクドライブ部１８と、第２のメディアとしてビデオファイルを構築できる情報記録媒体であるの光ディスクＤを回転駆動し、情報の読み書きを実行する光ディスクドライブ部１９を有している。又、制御部３０は、全体の動作を司るべくデータバスＢを介して各部に接続されている。しかし、本発明を実施する場合において、光ディスクドライブ部１９は必ずしも必要な構成ではない。
【００１１】
又、図１の放送記録装置１０は、録画側を構成するエンコーダ部２１と、再生側を構成するＭＰＥＧデコーダ部２３と、装置本体の動作を制御する制御部３０とを主たる構成要素としている。放送記録装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）デジタル／アナログチューナ部１２と、いわゆる地上波デジタル／アナログチューナ部１３とが接続され、エンコーダ部２１に信号を出力する。又、ＢＳ／ＣＳデジタル／アナログチューナ部１２には衛星アンテナが、地上波デジタル／アナログチューナ部１３には地上波アンテナが接続されている。又、放送記録装置１０は、エンコーダ部２１と、エンコーダ部２１の出力を受け、データ編集等の所望のデータ処理を行う信号編集部２０、信号編集部２０に接続されるハードディスクドライブ部１８、光ディスクドライブ部１９を有している。更に、放送記録装置１０は、ハードディスクドライブ部１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、関連コンテンツ制御部４２、予約録画部・番組表生成部４３を有している。これらの各部は、データバスＢを介して制御部３０に接続されている。更に、セレクタ部１７の出力は、ディスプレイ２６に供給されるか、外部装置との通信を行うインタフェース部２７を介して、外部装置に供給される。
【００１２】
更に、放送記録装置１０は、データバスＢを介して制御部３０に接続され、ユーザの操作やリモコンＲの操作を受ける操作部３２を有している。ここで、リモコンＲは、放送記録装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００１３】
（基本動作）
・放送コンテンツ再生
このような構成のデジタルテレビジョンである放送記録装置１０において、ユーザのリモコンＲ又は操作部３２の操作に応じた操作信号に従って、制御部３０等の制御下において、放送信号を受信しＢＳ／ＣＳチューナ１２又は地上波デジタル／アナログチューナ部１３からの放送コンテンツをディスプレイ２６に表示する。
【００１４】
・記録処理
次に、記録時の動作について、他の実施形態も含めて詳細に説明する。放送記録装置１０の入力側として、ＬＡＮ等の通信部１１は、外部機器と接続して、例えばモデムＭ等を介しインターネット等の通信路を経由して番組情報提供サーバＳ等と通信を行ったり、放送コンテンツ等をダウンロードしたりする。又、ＢＳ／ＣＳデジタル／アナログチューナ部１２、地上波デジタル／アナログチューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波放送のチューナ部や、ＢＳ／ＣＳチューナ部を２つ又は３つ以上を有し、予約録画の要求に応じて平行して機能させる場合も含んでいる。
【００１５】
又、先の通信部１１は、ＩＥＥＥ１３９４インタフェースであってもよく、ネットワーク上の外部機器からデジタルコンテンツを受けることが可能である。又、図示しない入力端部から、輝度信号や色差信号、コンポジット等の映像信号、音声信号を受けることも可能である。これらは、制御部３０等で制御されるセレクタ１６により、入力が制御されて、エンコーダ部２１に選択的に供給される。
【００１６】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。
【００１７】
又、ＢＳ／ＣＳアナログ／デジタルチューナ１２等は、必ずしも内蔵されている必要はなく、データ入力端子を介して外付けされて、受信したデジタル信号をセレクタ部１６を介してエンコーダ部２１や制御部３０に供給することも好適である。
【００１８】
ここで図１の装置は、エンコーダ部２１でエンコードされた情報（ビデオ、オーディオ、副映像データなどのパック）及び作成された管理情報を、制御部３０を介してハードディスクドライブ部１８又は光ディスクドライブ部１９に供給し、ハードディスクドライブ部１８、又は、光ディスクＤに記録することができる。又、ハードディスクドライブ部１８や光ディスクＤに記録された情報を、制御部３０、光ディスクドライブ部１９を介して光ディスクＤやハードディスクドライブ部１８に記録することもできる。
【００１９】
信号編集部２０により、ハードディスクドライブ部１８や光ディスクＤに記録されている複数番組のビデオ・オブジェクトを、一部削除したり、異なる番組のオブジェクトをつなげたり、といった編集処理を行うこともできる。
【００２０】
・再生処理等
次に、主に記録された情報の再生処理について、他の実施形態も含めて詳細に説明する。ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００２１】
ＭＰＥＧデコーダ部２３の出力オーディオ信号は、セレクタ部１７を介して図示しないデジタルアナログ変換器でアナログ変換されてスピーカに供給されるか、Ｉ／Ｆ部２７を介して外部装置に供給される。セレクタ部１７は、制御部３０からのセレクト信号により制御される。これによりセレクタ部１７は、各チューナ部１２，１３からのデジタル信号を直接モニタする時、エンコーダ部２１をスルーした信号を直接選択することも可能である。
【００２２】
・予約録画処理
又、通信部１１やチューナ１２，１３から取得した電子番組情報に基づいて、予約録画部（番組表生成部）４３によりユーザのリモコンＲ等の操作により特定した番組に応じて、録画予約処理が可能であると共に、取得した電子番組情報に基づく番組表を画面表示することが可能となる。又、予約された予約録画情報に基づいて、制御部３０及び予約録画部４３の働きにより、予約時刻になると、ＢＳ／ＣＳデジタル／アナログチューナ部１２又は地上波デジタル／アナログチューナ部１３が受信した番組情報が復調された映像音声信号が、エンコーダ２１等のエンコード処理を経て、例えば、ハードディスク部Ｈに記録（予約録画）される。
【００２３】
この実施形態の放送記録装置１０は、このように総合的な機能を有しており、複数のソースに対して光ディスクＤ又はハードディスク部Ｈによる記録・再生処理を行うものである。
【００２４】
通信部１１等から取得した電子番組情報に基づいて、予約録画部（番組表生成部）４３により、複数の放送コンテンツを自動的に予約録画することが可能であり、ハードディスクＨに複数の放送コンテンツが保有されている場合が考えられる。
【００２５】
なお予約録画としては所謂繰り返し予約録画機能を用いた予約録画が行われることも多い。これは、例えばドラマなどの毎週同一曜日・時間帯に類似タイトルで供給される放送をユーザがまとめて予約して録画するものである。
【００２６】
本実施例は、テレビ番組表の多次元表示システムに関わるものであり、現在あるジャンル検索の分類（アニメ、映画、音楽、スポーツ、ドラマ）を発展させ、独自により多様なカテゴリわけを行い、多次元の分布図でより視覚的なテレビ番組表を表示するシステムを構成する。
【００２７】
図２に、本実施例によるシステム図を示し、各モジュールについて以下で説明する。まず、本実施例のシステムは制御部３０等で動作するソフトウェアで実現され、EPG取得モジュールＭ１、EPG解析モジュールＭ２、相関値取得モジュールＭ３、相関値辞書Ｍ３Ｄ、番組表作成モジュールＭ４で構成される。
【００２８】
EPG取得モジュールＭ１は、EPGの取得を行う。現在、地上波デジタル放送は標準で各放送局ごとに電子番組ガイドを送るための規格が定めてあり、各放送波の中に番組ガイドが送られており、また、アナログ放送でも、ADAMSやiNETに代表されるように電子番組ガイドがある。
【００２９】
次のEPG解析モジュールＭ２は、EPG取得モジュールＭ１で取得したEPGを、自然言語処理の技術を用いて、構文解析を行い、番組を特徴付ける有効なキーワードの抽出を行う。有効なキーワードの抽出法としては、不要語除去によるキーワード自動抽出などの技術が知られている。
【００３０】
相関値取得モジュールＭ３では、EPG解析モジュールＭ２で解析した各キーワードの相関値をもとに、その番組の各カテゴリに対する相関値を得る。
相関値辞書Ｍ３Ｄには、ユーザーに対しテレビ番組表として、表示するに値する多様なカテゴリ（例：明るさ度、コメディ性、恋愛性、リアリティ性、時代背景、社会性、シリアス性、人気性、前回の視聴率、フィクション性など）に分類され、カテゴリ毎にキーワードに対する相関値の蓄積がある。
【００３１】
なお、キーワードは、辞書作成モジュールＭ５にて、名詞、形容詞を中心にシソーラス辞書Ｍ５Ｓや、WEB（ホームページや、blog, BBS等）Ｍ５Ｗの情報を元に作成することや、ユーザーがリモコンを用いて対話的に辞書を追加、作成、修正できるようにし、辞書の正確性を向上させることを可能とする。メーカが個々の製品の出荷前に実装装置を操作し、個々の製品には関連コンテンツ制御部４２の図示せぬ不揮発性ＲＯＭなどに相関値辞書Ｍ３Ｄとして書き込んでおくなどの形態を採る。出荷後にユーザー操作によりＷＥＢなどを用いて内容更新ができるようにしておくのもよい。
【００３２】
番組表作成モジュールＭ４では、ユーザーが要求する形で、番組表作成を行う。
次に、図３で本システムのフロチャートを示し、手順を説明する。まず、放送波で送られてくるEPGを取得する（ステップＳ１）。ここで図４に、地上波デジタル放送から実際に取得した番組情報を例として示す。このような情報を用いて以下の手順を行なう。
【００３３】
ユーザーは、解析したい番組を以下のような選択肢の中から選択する（ステップＳ２）。
・全番組
一週間分のテレビ番組
・ジャンル別
一般的な分類（アニメ、映画、音楽、スポーツ、ドラマ、映画）の中から全選択あるいは、選択する
・選択したもの
ジャンルに関係なく、ユーザーが興味のある番組を選択する
ユーザーは、表示したいカテゴリを以下のような選択肢の中から選択する（ステップＳ３）。
・    明るさ度
・    コメディ性
・    恋愛性
・    リアリティ性
・    時代背景（年代別）
・    社会性
・    シリアス性
・    人気性
・    前回の視聴率
・    フィクション性
など
選択した１番組に対し、EPGの番組内容より、自然言語処理の技術を用いて、構文解析を行い、番組を特徴付ける有効なキーワード（名詞、形容詞など）の抽出を行う（ステップＳ４）。抽出したキーワードを、相関値辞書を参照し、カテゴリに対応するキーワードの相関値を取得する（ステップＳ５）。
【００３４】
ユーザーは解析する番組があれば（ステップＳ６）、何次元で表示するかを選び、各軸の設定を行う（ステップＳ７）。
番組表の表示を行う（ステップＳ８）。他のカテゴリで番組表を表示したければ（ステップＳ９）ステップＳ３へ戻る。
図５に、X軸：コメディ性、Y軸：社会性の二次元分布図で表したテレビ番組表（ドラマ）を示す。中心から離れているものは＋、−方向に程度が大きいものである。
【００３５】
図６、図７に実際のテレビ番組表がこのような分布図を作成する仕組みの例を説明する。ユーザーがテレビ番組の中である一日に放映される予定の映画・ドラマを３つ選択し、コメディ性と恋愛性の二次元の分布図で表示されたテレビ番組表を見たいと考えたとする。
【００３６】
１）ＥＰＧで取得した３つの番組情報をEPG解析モジュールにて、番組を最も特徴づけるキーワードを抽出する。例えば、上の「金曜スペシャルドラマ」では、「運命的」と「切ない」が抽出される。
【００３７】
２）相関値取得モジュールにて、相関値辞書のコメディ性と恋愛性のカテゴリを参照し、各キーワードに対する相関値を得て、各番組のコメディ性と恋愛性の相関値を得る。尚、カテゴリ内で複数キーワードがある場合は平均値をとる。
【００３８】
３）各番組のコメディ性と恋愛性の相関値をもとに、X軸をコメディ性、Ｙ軸を恋愛性にとり、２次元の分布図でテレビ番組を表示する。
例では、コメディ性では「切ない」が−７を、恋愛性では「運命的」が８と「切ない」が５を取り平均値は６．５となり、図７のような位置づけとなる。
図８は、実施例の多次元表示方法を説明する例である。図８（ａ）は３次元表示を行うためのピンプロット図であり、３変量データを３次元空間の点とみなし，対応する点（マーク）を描き，そこからＡ−Ｂ平面に垂線を引く。垂線の長さがＣ座標での量，垂線の足の位置がＡ座標，Ｂ座標を表す。Ａ座標，Ｂ座標に各々カテゴリを割り当て、Ｃ座標には特に大きさを把握したいカテゴリを割り当てるとユーザーはわかり易い。
【００３９】
また図８（ｂ）は４次元表示を行うための散布図の拡張であり、基本的な散布図は２変量を表すが、もし３，４次元目の変数を長さを持ったベクトルとして描けば，２次元平面で４次元データを表現できる。Ｘ，Ｙを基本的なカテゴリとし、ベクトルＵ，Ｖを注目したいカテゴリとするといった使い方が可能である。図８（ｂ）も図８（ａ）と同様に個々の点が番組（プログラム）を表している。
【００４０】
本実施例の効果として次の諸点がある。
・ユーザーが興味あるカテゴリを基に独自のテレビ番組を表示することができる
・分布図で表示することにより、ユーザーに対し、意外性を認識させ、興味の幅を広げやすくすることができる
・テレビ番組を多様なカテゴリわけすることにより、ユーザーの嗜好を把握することができる
なお、この発明は上記実施例に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４１】
【図１】この発明の一実施例の番組表示装置を示すブロック図。
【図２】同実施例の番組表示方法を示す概略システム図。
【図３】同実施例の番組表示装置の動作を説明するためのフロチャート図。
【図４】地上波デジタル放送波の番組情報例。
【図５】実施例の提案テレビ番組表の表示例。
【図６】実施例のシステム使用例１。
【図７】実施例のシステム使用例２。
【図８】実施例の多次元表示方法例。
【符号の説明】
【００４２】
１１…通信部、１２…ＢＳ／ＣＳデジタル／アナログチューナ部、１３…地上波デジタル／アナログチューナ部、１６…入力側のセレクタ、１７…出力側のセレクタ、１８…ハードディスクドライブ部、１９…光ディスクドライブ部、２０…信号編集部、２１…エンコーダ部、２２…バッファ部、２３…ＭＰＥＧデコーダ部、２４…音声映像処理部、２６…ディスプレイ、２７…Ｉ／Ｆ部、２８…多重化部、２９…分離部、３０…制御部、３２…操作部、３３…表示部、Ｒ…リモコン、４２…関連コンテンツ制御部、４３…予約録画部・番組表生成部、Ｍ１…EPG取得モジュール、Ｍ２…EPG解析モジュール、Ｍ３…相関値取得モジュール、Ｍ３Ｄ…相関値辞書、Ｍ４…番組表作成モジュール。
【図１】
2008236400.tif 000003
【図２】
2008236400.tif 000004
【図３】
2008236400.tif 000005
【図４】
2008236400.tif 000006
【図５】
2008236400.tif 000007
【図６】
2008236400.tif 000008
【図７】
2008236400.tif 000009
【図８】
2008236400.tif 000010